(57)【要約】【課題】水栓の施工業者が、設置施工した水栓に浄水カートリッジを残して行くことを忘れることによって生ずる問題を解決し、水栓の設置施工完了後に確実にユーザによりカートリッジを水栓に装填して使用してもらえるようにする。【解決手段】ホースとともに引出し可能な吐水ヘッド２２がグリップ部２４とこれに対して脱着可能で吐水口２６を備えた頭部２８とを有し、水道水を通して浄化する浄水カートリッジを頭部２８を脱着することで挿脱するようになした水栓１０に対して、浄水カートリッジ入りの袋３６をユーザに向けての出荷段階で予めグリップ部２４に巻き付け、取り付けておく。【選択図】        図２
2005344311.tif 000002
【特許請求の範囲】
【請求項１】
吐水部本体と、該吐水部本体に対して脱着可能で吐水口を備えた頭部とを有し、水道水を通して浄化する浄水カートリッジを該頭部を脱着することで挿脱するようになした水栓に対して、該浄水カートリッジ入りの袋をユーザに向けての出荷段階で予め前記吐水部本体に取り付けてあることを特徴とする浄水カートリッジ入り袋付きの水栓。
【請求項２】
請求項１において、前記吐水部本体と頭部とで可撓性のホースとともに引出可能な吐水ヘッドが構成されており、該吐水部本体がグリップ部を成していることを特徴とする浄水カートリッジ入り袋付きの水栓。
【請求項３】
請求項１，２の何れかにおいて、前記浄水カートリッジ入り袋は前記吐水部本体に対して巻付状態で取り付けてあることを特徴とする浄水カートリッジ入り袋付きの水栓。
【請求項４】
請求項３において、前記浄水カートリッジ入り袋は、前記頭部に巻き付けることなく前記吐水部本体に巻き付け取り付けてあることを特徴とする浄水カートリッジ入り袋付きの水栓。
【請求項５】
請求項３，４の何れかに用いられる浄水カートリッジ入り袋であって、該袋は、内部に収納空間を有して該収納空間に該浄水カートリッジを収納した袋本体と、該袋本体から延び出した、物品収納のための内部空間を有しない巻付片とを有しており、該巻付片を前記吐水部本体に巻き付けて該吐水部本体に取り付けるようになしてあることを特徴とする浄水カートリッジ入り袋。
【請求項６】
請求項３，４の何れかに用いられる浄水カートリッジ入り袋であって、該袋は、前記浄水カートリッジを箱入り状態で収納する収納空間を備えた袋本体を有しており、且つ該袋本体はその箱の収容に必要な長さよりも余剰の長さを有していて、その余剰長さ部分を前記吐水部本体への巻付用部分として用いるようになしてあることを特徴とする浄水カートリッジ入り袋。
【請求項７】
請求項１〜４の何れかにおいて、前記浄水カートリッジ入り袋は内部に収納空間を有して、該収納空間に該浄水カートリッジを箱入り状態で収納した袋本体と、該袋本体から延び出した、物品収納のための内部空間を有しない巻付片とを有しているとともに、該袋本体はその箱の収容に必要な長さよりも余剰の長さを有していて、その余剰長さ部分が前記吐水部本体への巻付用部分とされており、該袋は、箱入り状態の前記浄水カートリッジを前記吐水部本体の下側に位置させた状態で、該吐水部本体に対する正面視において前記袋本体から左右方向の一方に延び出した前記巻付片と、他方に延び出した前記袋本体の余剰長さ部分とが前記吐水部本体に対して互いに逆の側から巻き付けてあることを特徴とする浄水カートリッジ入り袋付きの水栓。
【発明の詳細な説明】
【技術分野】
【０００１】
この発明は水道水を浄水カートリッジに通して浄化した上で吐水口から吐水する水栓及びこれに用いる袋に関し、詳しくはユーザに向けての出荷段階の形態に特徴を有するものに関する。
【背景技術】
【０００２】
水道水中には微細な砂，赤錆等濁りの元となる成分や、殺菌用の塩素に起因するカルキ臭とか黴臭とかの臭いの元となる成分が含まれている。
そこで従来、水道水を浄水カートリッジに通して浄化した上で、その浄水を吐水口から吐水するようになした水栓が公知である。
【０００３】
例えば下記特許文献１に、この種の浄化機能付きの水栓が開示されている。図７はその具体例を示している。
図７において２００は流し台で、２０２はキャビネット、２０４はシンク、２０６はカウンターで、２０８はシングルレバー式の混合水栓（以下単に水栓）である。
【０００４】
２１０は水栓２０８の水栓本体２１２に対して水，湯を供給するサプライ管で、２１４は水栓本体２１２からの混合水を流出する接続管であり、この接続管２１４に可撓性のホース２１６の一端側が接続されている。
水栓本体２１２の上部には操作レバー２１８が左右及び上下回動可能に設けられており、その操作レバー２１８によって、水栓本体２１２に内蔵された主弁が動作させられる。
【０００５】
水栓本体２１２からはシンク２０４の上方に向けて吐水管２２０が延び出している。
吐水管２２０は、水栓本体２１２に固定の吐水管基部２２２と、ホース２１６とともに取出可能な吐水ヘッド２２４とから成っている。
【０００６】
吐水ヘッド２２４はまた、吐水ヘッド本体（吐水部本体）としてのグリップ部２２６と、これに対して着脱可能で吐水口２２８を備えた頭部２３０とから成っている。
頭部２３０には、水道水の吐水と浄水の吐水とを切り替える操作部２３２が設けられている。
【０００７】
図８は吐水管２２０内部の構造を示しており、同図に示しているようにこの吐水管２２０内部、詳しくはグリップ部２２６内部には円筒形状をなす浄水カートリッジ２３４が装填されている。
この浄水カートリッジ２３４の外周側と中心部とには原水（水道水）通路２３６と、浄水通路２３８とが形成されており、原水通路２３６の原水が浄水カートリッジ２３４を半径方向に通過してそこで浄化され、そして浄化後の浄水が浄水通路２３８を流通して切替弁装置２４０の切替位置に応じて吐水口２２８、詳しくは浄水吐水口２２８Ｃから吐水される。
一方原水は、切替弁装置２４０の切替位置に応じて原水ストレート吐水口２２８Ａ又は原水シャワー吐水口２２８Ｂから吐水される。
【０００８】
上記のように頭部２３０はグリップ部２２６に対して脱着可能とされており、この頭部２３０を外すことによって、浄水カートリッジ２３４が交換可能とされている。
ここで頭部２３０は、浄水カートリッジ２３４に対する図中左方向の押えとしての働きもなしている。
【０００９】
この吐水ヘッド２２４内部には、浄水カートリッジ２３４に隣接して且つその上流部位に緊急遮断弁２４２が設けられている。
緊急遮断弁２４２は、弁体２４４と弁軸２４６及びこれを図中右方向に付勢するスプリングとを有しており、常時は浄水カートリッジ２３４により弁体２４４がスプリングの付勢力に抗して図中左向きに押された状態、即ち開弁した状態にあって、水道水を流通可能となしている。
一方浄水カートリッジ２３４を取り外すと、弁体２４４がスプリングの付勢力で閉弁し、水道水の下流側への供給を遮断する。
【００１０】
ここで緊急遮断弁２４２は次のような意味を有している。
即ちこのような緊急遮断弁２４２が設けられていないと、頭部２３０を取り外して浄水カートリッジ２３４を交換する際、水栓本体２１２内の主弁が開いたままであると頭部２３０を取り外した時点で水が勢い良く噴き出してしまう。
【００１１】
そこでここでは緊急遮断弁２４２を設け、頭部２３０を取り外して浄水カートリッジ２３４を取り外したときに緊急遮断弁２４２を閉弁させ、水道水の流通を遮断するようになしている。
そして浄水カートリッジ２３４を装填することによって緊急遮断弁２４２を開弁させ、水道水を流通可能となしている。
【００１２】
ところで上記水栓を現場に設置施工するに際し、水栓２０８を設置した段階で通水検査を行うが、このとき浄水カートリッジ２３４を組み付けた状態で通水検査を行うと、通水初期に配管内に含まれている多くのごみ等の異物が浄水カートリッジ２３４に流入して来、浄水カートリッジ２３４が目詰りを起してしまう。
即ち使用者が実際に水栓２０８を使用する前に、既に浄水カートリッジ２３４が汚れ或いは目詰りを起した状態となってしまう。
従って通水検査の際には浄水カートリッジ２３４を外した状態でこれを行うことが望ましい。
【００１３】
そこでこの特許文献１に開示のものでは、図９に示しているように浄水カートリッジ２３４の代りにダミーカートリッジ２４８を装填して通水検査を行うようにしている。
この通水検査によって水栓２０８の設置が正しく行われたか否かが確認され、そして水栓設置が正しく行われたと確認されればそこで水栓２０８の設置施工は完了する。
浄水カートリッジ２３４の水栓２０８への装填は、その後においてユーザが行うこととなる。
【００１４】
そこで施工業者は水栓２０８の設置施工が完了した後、内部に浄水カートリッジ２３４を収納した袋２５０を、例えば図１０に示しているように水栓２０８の突起物である操作レバー２１８に引っ掛けてそこに残して行くようにする。
【００１５】
しかしながら、場合によって施工業者が浄水カートリッジ２３４を収納した袋２５０を時として操作レバー２１８に吊り下げて行くのを忘れることがあり、この場合、ユーザは浄水カートリッジ２３４を水栓２０８に装填することなく、そのまま水栓２０８を使用してしまうといった不具合が生ずる。
【００１６】
以上ダミーカートリッジ及び緊急遮断弁を備えた水栓を例として問題点を説明したが、そのようなダミーカートリッジや緊急遮断弁を備えていない状態で尚且つ浄水カートリッジを装填しない状態で通水試験を行うことが可能な水栓においても同様の問題が生ずる。
【００１７】
【特許文献１】特開２００３−２４９３２号公報
【発明の開示】
【発明が解決しようとする課題】
【００１８】
本発明は以上のような事情を背景とし、水栓の設置施工業者が浄水カートリッジを設置後の水栓に残して行くことを忘れることによって生ずる上記問題を解決し、水栓の施工完了後において確実にユーザがカートリッジを水栓に装填して使用できるようになすことを目的としてなされたものである。
【課題を解決するための手段】
【００１９】
而して本発明は、吐水部本体と、該吐水部本体に対して脱着可能で吐水口を備えた頭部とを有し、水道水を通して浄化する浄水カートリッジを該頭部を脱着することで挿脱するようになした水栓に対して、該浄水カートリッジ入りの袋をユーザに向けての出荷段階で予め前記吐水部本体に取り付けておくようになしたものである。
【００２０】
請求項２のものは、請求項１において、前記吐水部本体と頭部とで可撓性のホースとともに引出可能な吐水ヘッドが構成されており、該吐水部本体がグリップ部を成していることを特徴とする。
【００２１】
請求項３のものは、請求項１，２の何れかにおいて、前記浄水カートリッジ入り袋は前記吐水部本体に対して巻付状態で取り付けてあることを特徴とする。
【００２２】
請求項４のものは、請求項３において、前記浄水カートリッジ入り袋は、前記頭部に巻き付けることなく前記吐水部本体に巻き付け取り付けてあることを特徴とする。
【００２３】
請求項５はカートリッジ入り袋に関するものであって、この袋は、請求項３，４の何れかに用いられる浄水カートリッジ入り袋であって、該袋は、内部に収納空間を有して該収納空間に該浄水カートリッジを収納した袋本体と、該袋本体から延び出した、物品収納のための内部空間を有しない巻付片とを有しており、該巻付片を前記吐水部本体に巻き付けて該吐水部本体に取り付けるようになしてあることを特徴とする。
【００２４】
請求項６のものは、請求項３，４の何れかに用いられる浄水カートリッジ入り袋であって、該袋は、前記浄水カートリッジを箱入り状態で収納する収納空間を備えた袋本体を有しており、且つ該袋本体はその箱の収容に必要な長さよりも余剰の長さを有していて、その余剰長さ部分を前記吐水部本体への巻付用部分として用いるようになしてあることを特徴とする。
【００２５】
請求項７は水栓に関するものであって、請求項１〜４の何れかにおいて、前記浄水カートリッジ入り袋は内部に収納空間を有して、該収納空間に該浄水カートリッジを箱入り状態で収納した袋本体と、該袋本体から延び出した、物品収納のための内部空間を有しない巻付片とを有しているとともに、該袋本体はその箱の収容に必要な長さよりも余剰の長さを有していて、その余剰長さ部分が前記吐水部本体への巻付用部分とされており、該袋は、箱入り状態の前記浄水カートリッジを前記吐水部本体の下側に位置させた状態で、該吐水部本体に対する正面視において前記袋本体から左右方向の一方に延び出した前記巻付片と、他方に延び出した前記袋本体の余剰長さ部分とが前記吐水部本体に対して互いに逆の側から巻き付けてあることを特徴とする。
【発明の作用・効果】
【００２６】
以上のように本発明は、吐水部本体とこれに対して脱着可能で吐水口を備えた頭部とを有する水栓に対して、ユーザに向けての出荷段階で浄水カートリッジ入りの袋を予め吐水部本体に取り付けておくもので、本発明によれば、水栓の設置施工業者が施工完了段階で浄水カートリッジ入りの袋を水栓に付け忘れ、その後ユーザが浄水カートリッジを水栓に装填することなく水栓を使用してしまうといった問題を生ぜしめず、確実にユーザによる手によって浄水カートリッジを装填した状態で水栓が使用されるようになすことができる。
【００２７】
本発明では、浄水カートリッジ入りの袋が吐水部本体に取り付けられているため、現場での水栓の設置施工作業に際して袋を取り外すことなく吐水部本体から頭部を支障なく取り外すことが可能であり、袋取付状態のままダミーカートリッジを装着した状態の下で支障なく通水検査を行うことができる。
【００２８】
或いはまたそのようなダミーカートリッジを装填する必要がなく且つ浄水カートリッジを装填しない状態で頭部を取り外して通水検査が可能な水栓にあっても、袋を取り付けた状態のまま通水可能な状態とした上で通水試験を行うこともできる。
【００２９】
本発明は、吐水部本体と頭部とで可撓性のホースとともに引出可能な吐水ヘッドを構成し、そしてその吐水部本体がグリップ部を成している水栓に適用して好適なものである（請求項２）。
本発明においては、浄水カートリッジ入りの袋を吐水部本体に対して巻付状態で取り付けておくことが望ましい（請求項３）。
特に袋を頭部に巻き付けることなく吐水部本体に巻き付けて取り付けておくことが望ましい（請求項４）。
【００３０】
次に請求項５は浄水カートリッジ入りの袋に関するもので、ここではかかる袋を、内部に収納空間を有してその収納空間に浄水カートリッジを収納した袋本体と、これから延び出した、物品収納のための内部空間を有しない巻付片とで構成し、その巻付片を吐水部本体に巻き付けて吐水部本体に取り付けるようになしたもので、このようにしておけば、簡単な作業で浄水カートリッジ入りの袋を吐水部本体に対して巻付状態に取り付けることができる。
【００３１】
請求項６もまた浄水カートリッジ入り袋に関するもので、ここでは浄水カートリッジを箱入り状態で収納した袋本体を、その箱の収容に必要な長さよりも余剰長さを有するものとなし、その余剰長さ部分を吐水部本体への巻付用部分として用いるようになしたもので、このようにすれば、更に簡単な作業で浄水カートリッジ入りの袋を吐水部本体に対して巻付作業することができる。
【００３２】
請求項７は水栓に関するもので、袋内部且つ箱入り状態の浄水カートリッジを吐水部本体の下側に位置させた状態で、左右方向の一方に延び出した上記巻付部と、他方に延び出した袋本体の余剰長さ部分を、吐水部本体に対して互いに逆の側から巻き付けたもので、このようになした場合、両手を使いながら且つ吐水部本体の下側の浄水カートリッジが作業中に位置ずれするのを防ぎながら、ワンタッチで極めて簡単に浄水カートリッジ入りの袋を吐水部本体に巻付作業することができる。
【発明を実施するための最良の形態】
【００３３】
次に本発明の実施形態を図面に基づいて詳しく説明する。
図１において、１０はシングルレバー式の混合水栓（以下単に水栓）で、１２は主弁を内蔵した水栓本体である。
水栓本体１２の上部には操作レバー１４が左右及び上下回動可能に設けられており、その操作レバー１４の操作に基づいて水栓本体１２内部の主弁が動作させられる。
【００３４】
１６は水栓本体１２から延び出した吐水管（吐水部）で、吐水管基部１８と、（Ｂ）に示す可撓性のホース２０とともに引出可能な吐水ヘッド２２とから成っている。
吐水ヘッド２２は、吐水ヘッド本体（吐水部本体）としてのグリップ部２４と、これに対して脱着可能な吐水口２６を有する頭部２８とから成っている。
ここで頭部２８には、原水（水道水）吐水と浄水吐水とを切替操作するための切替操作部３０（ここでは押ボタン式）が設けられている。
【００３５】
図２はこの水栓１０におけるグリップ部２４に、図３に示す浄水カートリッジ３２を箱３４入りの状態で収納した袋（本実施形態では合成樹脂製の袋）３６を巻付状態に取り付けた状態を示している。
ここで袋３６は、水栓１０をユーザに向けて出荷する段階で予め取り付けられている。
この実施形態では、袋３６は頭部２８にかかることなく（巻き付けることなく）グリップ部２４の外周面を実質的に軸方向全長に亘って包み込む状態に巻き付けてある。
【００３６】
図３（Ｂ）及び図４は、袋３６を巻き付ける前の状態で表している。
同図に示しているように袋３６は、内部に収納空間を有してその収納空間に浄水カートリッジ３２を箱３４入りで収納した袋本体３８と、その袋本体３８から延び出した、物品収納のための内部空間を有しないシート状の巻付片４０とから成っており、それぞれの長手方向端部に粘着テープ４２が固着してある。
【００３７】
本実施形態において袋３６は次のようにして構成してある。
即ち、全周が閉鎖された１つの樹脂製の袋体をその長手方向途中箇所で短手方向に沿ってヒートシールにより閉鎖し、これによりその閉鎖部を境として一方（図中右方）に上記巻付片４０を、また他方（図中左方）に袋本体３８を構成している。
図中４６はそのヒートシールによる閉鎖部を表している。
【００３８】
ここで袋本体３８は、箱３４の収納に必要な長さよりも余剰の長さを有していて、その余剰長さ部分４２Ａが、グリップ部２４への巻付用部分として用いられている。
尚、袋本体３８の内部には、ユーザの住所等を記して投函してもらうための葉書４４が箱３４と併せて収納されている。
【００３９】
図５は袋３６のグリップ部２４に対する取付けの手順の一例を表している。
先ず図５（Ｉ）に示しているように、浄水カートリッジ３２入りの箱３４を袋本体３８の図中右端に位置させておいて、これをグリップ部２４の下側に位置させる。
【００４０】
そして巻付片４０と袋本体３８の余剰長さ部分４２Ａとを両手で持って、図５（II）に示すように、先ず一方の余剰長さ部分４２Ａをグリップ部２４に巻き付けた上で、端部の粘着テープ４２でこれをグリップ部２４の上面に貼着する。
続いて他方の巻付片４０を同様にしてグリップ部２４に巻き付けて、その端部の粘着テープ４２でこれをグリップ部２４の上面、具体的には既に巻き付けた余剰長さ部分４２Ａの上面に貼着する。
尚巻付けの順序を逆として、先ず巻付片４０を巻き付けた後、袋本体３８の余剰長さ部分４２Ａを巻き付けるようになしても良い。
【００４１】
図２及び図５（III）はこのようにして袋３６をグリップ部２４に巻き付け終わった状態を表している。
尚図２中４１は表示部で、その表示部４１には施工業者に向けて次のような表示、即ちこの袋を開封せずに水栓に巻き付けたままユーザに渡すこと、また袋の中には浄水カートリッジが入っている旨の表示が施してある。
本実施形態の水栓１０は、このようにしてグリップ部２４に浄水カートリッジ３２を収納した袋３６を巻き付けた状態で、ユーザに向けて工場等から出荷される。
【００４２】
そして水栓１０の施工業者は現場においてこれを設置施工し、そして施工が一通り済んだところで、頭部２８をグリップ部２４から外してダミーカートリッジの装着等により通水検査を行う。
そして通水検査の結果、水栓１０が適正に設置されていると確認できたところで実質的に施工が完了する。
【００４３】
この段階では水栓１０内部、具体的にはグリップ部２４内部に浄水カートリッジ３２は装填されておらず、そこでユーザは後において袋３６をグリップ部２４から外して、そこに収納してある浄水カートリッジ３２を取り出し、頭部２８を取り外した上で浄水カートリッジ３２を装填し、再び頭部２８を取り付ける。
ここにおいて水栓１０が正常に使用可能な状態となる。
【００４４】
かかる本実施形態によれば、施工業者が水栓１０の設置施工を完了した段階で浄水カートリッジ３２入りの袋３６を水栓１０に付け忘れて、その後ユーザが浄水カートリッジ３２を水栓１０に装填することなく水栓１０を使用してしまうといった問題を生じず、確実にユーザによる手によって浄水カートリッジ３２を装填した状態で水栓１０が使用される。
【００４５】
本実施形態では、浄水カートリッジ３２入りの袋３６がグリップ部２４に取り付けられているため、現場での水栓１０の設置施工作業に際して、グリップ部２４から頭部２８を取り外してダミーカートリッジを装着するなどして、袋３６を取り付けた状態のまま通水検査を行うことができる。
【００４６】
本実施形態では、ユーザが設置されている水栓１０を見たとき、袋３６がグリップ部２４の実質的に全軸方向長に亘ってこれを包み込む状態に巻き付けてあるため、かかる浄水カートリッジ３２入りの袋３６が目立つものとなって、水栓１０が完全には使用可能な状態には到っておらず、袋３６を取り外して中の浄水カートリッジ３２を装填して初めて使用可能な状態になるといったことをユーザに認識させることができる。
【００４７】
また本実施形態では、袋３６に単に巻付けのためだけに用いられるシート状の巻付片４０が設けられているのに加えて、袋本体３８が余剰長さ部分４２Ａを有していて、その余剰長さ部分４２Ａが巻付用として使用可能であるため、袋３６をグリップ部２４に巻き付けるに際して、巻付片４０と余剰長さ部分４２Ａとを両手に持ちながら、しかも略中央に位置する浄水カートリッジ３２入りの箱３４を巻付作業時に位置をずらせてしまうことなく、グリップ部２４に巻付作業することができ、従ってグリップ部２４への袋３８の巻付作業をワンタッチで極めて簡単に短時間で行うことができる。
【００４８】
以上本発明の実施形態を詳述したがこれはあくまで一例示である。
例えば本発明は図６に示しているように上記実施形態とは異なった形態の水栓５０に対し、浄水カートリッジ３２を箱３４入りの状態で収納した袋３６を、同じくグリップ部２４に巻付状態に取り付けておくこともできるし、或いはまた上記袋３６を上例以外の他の様々な形態で構成することも可能であるなど、本発明はその趣旨を逸脱しない範囲において種々変更を加えた形態で構成可能である。
【図面の簡単な説明】
【００４９】
【図１】本発明の一実施形態を浄水カートリッジ入り袋を巻き付ける前の状態で表した図である。
【図２】同実施形態を浄水カートリッジ入り袋を巻き付けた状態で示す図である。
【図３】図２の浄水カートリッジ入り箱及びこれを収納した袋の説明図である。
【図４】図３（Ｂ）に示す浄水カートリッジ入り袋の側面図である。
【図５】同浄水カートリッジ入り袋の巻付手順の説明図である。
【図６】本発明の他の実施形態を示す図である。
【図７】従来公知の浄化機能付の水栓を示す図である。
【図８】図７の水栓の要部を示す図である。
【図９】図８の水栓にダミーカートリッジを装填した状態を示す図である。
【図１０】同水栓の設置施工後の状態を表す図である。
【符号の説明】
【００５０】
１０  混合水栓（水栓）
２０  ホース
２２  吐水ヘッド
２４  グリップ部（吐水部本体）
２６  吐水口
２８  頭部
３２  浄水カートリッジ
３４  箱
３６  袋
３８  袋本体
４０  巻付片
４２Ａ  余剰長さ部分
【図１】
2005344311.tif 000003
【図２】
2005344311.tif 000004
【図３】
2005344311.tif 000005
【図４】
2005344311.tif 000006
【図５】
2005344311.tif 000007
【図６】
2005344311.tif 000008
【図７】
2005344311.tif 000009
【図８】
2005344311.tif 000010
【図９】
2005344311.tif 000011
【図１０】
2005344311.tif 000012